(57)【要約】【課題】ユーザの意識を変化させることができる照明システムを提供する。【解決手段】照明システム１は、照明器具４０と、照明器具４０を制御する制御部１０と、照明器具４０を使用するユーザｕ１の行動を検知する検知部２０とを備え、照明器具４０の光を第１領域Ａ１に照射する第１照射モードＭ１、および、第１領域Ａ１と少なくとも一部が異なる第２領域Ａ２に照射する第２照射モードＭ２を有している。制御部１０は、検知部２０にて検知した行動からユーザｕ１の次の行動を予測し、予測した次の行動に応じて、第１照射モードＭ１および第２照射モードＭ２の少なくとも一方のモードを選択し、選択したモードに基づいて照明器具４０に光を照射させる。【選択図】図２
2019175686.tif 000002
【特許請求の範囲】
【請求項１】
１以上の照明器具と、
前記１以上の照明器具を制御する制御部と、
前記１以上の照明器具を使用するユーザの行動を検知する検知部と
を備える照明システムであって、
前記１以上の照明器具の光を第１領域に照射する第１照射モード、および、前記第１領域と少なくとも一部が異なる第２領域に照射する第２照射モードを有し、
前記制御部は、前記検知部にて検知した行動から前記ユーザの次の行動を予測し、予測した前記次の行動に応じて、前記第１照射モードおよび前記第２照射モードの少なくとも一方のモードを選択し、選択した前記モードに基づいて前記１以上の照明器具に光を照射させる
照明システム。
【請求項２】
前記検知部は、前記ユーザの動きを検知し、
前記制御部は、前記検知部にて検知した前記動きに基づいて、前記ユーザの次の行動を予測する
請求項１に記載の照明システム。
【請求項３】
前記検知部は、前記ユーザの位置の変化を検知し、
前記制御部は、前記検知部にて検知した前記位置の変化に基づいて、前記ユーザの次の行動を予測する
請求項１に記載の照明システム。
【請求項４】
前記検知部は、前記ユーザの音声を検知し、
前記制御部は、前記検知部にて検知した前記音声に基づいて、前記ユーザの次の行動を予測する
請求項１に記載の照明システム。
【請求項５】
さらに、前記第１照射モードと前記第２照射モードとの間にて、前記照明器具の光の照射領域を前記第１領域から前記第２領域に変化させる変化モードを有し、
前記制御部は、前記変化モードにおいて、前記照射領域の輝度、色、形状および移動速度のうちの少なくとも１つが変化するように、前記１以上の照明器具に光を照射させる
請求項１〜４のいずれか１項に記載の照明システム。
【請求項６】
前記制御部は、前記照射領域の輝度、色、形状および移動速度のうちの少なくとも１つを徐々に変化させる
請求項５に記載の照明システム。
【請求項７】
前記第２領域は、前記第１領域よりも面積が小さい
請求項５または６に記載の照明システム。
【請求項８】
さらに、前記照射領域の内側から外側に向かう方向に、前記輝度が低くなるように前記照射領域に光を照射する第１輝度モード、および、前記第１輝度モードよりも前記輝度が急激に低くなるように前記照射領域に光を照射する第２輝度モードを有し、
前記制御部は、前記第１輝度モードから前記第２輝度モードに徐々に変化するように、または、前記第２輝度モードから前記第１輝度モードに徐々に変化するように、前記照射領域に照射する光を変化させる
請求項５〜７のいずれか１項に記載の照明システム。
【請求項９】
さらに、前記光を照射する対象である照射対象物と前記照射対象物の周辺とに前記光を照射する第１対象モード、および、前記照射対象物のみに前記光を照射する第２対象モードを有し、
前記制御部は、前記第１対象モードから前記第２対象モードに徐々に変化するように、または、前記第２対象モードから前記第１対象モードに徐々に変化するように、前記光を照射する対象を変化させる
請求項５〜７のいずれか１項に記載の照明システム。
【請求項１０】
前記照明システムは、前記第１照射モードとして複数の前記照射領域を有し、および、前記第２照射モードとして１つの前記照射領域を有し、
前記制御部は、前記変化モードにおいて、前記第１照射モードの複数の前記照射領域を前記第２照射モードの１つの前記照射領域に移動させる
請求項５〜７のいずれか１項に記載の照明システム。
【請求項１１】
前記制御部は、前記第１照射モードの複数の前記照射領域の平面上の位置座標が、
（Ｘ１，Ｙ１）、（Ｘ２，Ｙ２）、・・（Ｘｎ，Ｙｎ）（ただしｎは２以上の整数）
で表される場合に、前記第２照射モードの１つの前記照射領域が、
（（Ｘ１＋Ｘ２＋・・・＋Ｘｎ）／ｎ，（Ｙ１＋Ｙ２＋・・・＋Ｙｎ）／ｎ）
で表される前記平面上の位置座標を含むように、前記変化モードにおいて前記照射領域を移動させる
請求項１０に記載の照明システム。
【請求項１２】
前記制御部は、前記第１照射モードの継続時間が長いほど、前記変化モードにおける前記照射領域の前記移動速度を速くする
請求項５に記載の照明システム。
【請求項１３】
前記制御部は、前記第２照射モードから前記第１照射モードに戻す場合に、前記第２領域から前記第１領域に移動するまでの前記照射領域の前記移動速度を１ｍ／ｓ以下とする
請求項５に記載の照明システム。
【発明の詳細な説明】
【技術分野】
【０００１】
本発明は、照明光を制御する照明システムに関する。
【背景技術】
【０００２】
従来、照明光を制御する照明システムが知られている。この種の照明システムの一例として、特許文献１には、ユーザの動きを検知するセンサ部と、照明器具の光特性を制御する制御部とを備える照明システムが開示されている。この照明システムでは、照明器具の照射領域の境界近傍におけるユーザの動きをセンサ部で検知し、照射領域の大きさを変更している。
【先行技術文献】
【特許文献】
【０００３】
【特許文献１】特開２０１７−７３２５５号公報
【発明の概要】
【発明が解決しようとする課題】
【０００４】
しかしながら特許文献１の照明システムでは、ユーザが動いた後に、そのユーザの動きに応じて照明器具を制御している。そのため、照明器具を用いて、ユーザの意識を集中させたり緩和させたりするなど、ユーザの意識を変化させることが困難である。
【０００５】
そこで本発明は、ユーザの意識を変化させることができる照明システムを提供することを目的とする。
【課題を解決するための手段】
【０００６】
本発明の一態様に係る照明システムは、１以上の照明器具と、前記１以上の照明器具を制御する制御部と、前記１以上の照明器具を使用するユーザの行動を検知する検知部とを備える照明システムであって、前記１以上の照明器具の光を第１領域に照射する第１照射モード、および、前記第１領域と少なくとも一部が異なる第２領域に照射する第２照射モードを有し、前記制御部は、前記検知部にて検知した行動から前記ユーザの次の行動を予測し、予測した前記次の行動に応じて、前記第１照射モードおよび前記第２照射モードの少なくとも一方のモードを選択し、選択した前記モードに基づいて前記１以上の照明器具に光を照射させる。
【発明の効果】
【０００７】
本発明に係る照明システムによれば、ユーザの意識を変化させることができる。
【図面の簡単な説明】
【０００８】
【図１】比較例に係る照明システムを示す図である。
【図２】実施の形態１に係る照明システムを示す図である。
【図３Ａ】実施の形態１に係る照明システムを示すブロック構成図である。
【図３Ｂ】実施の形態１に係る照明システムの記憶部に格納されている、ユーザの動きと照射モードとの関係を表すテーブルである。
【図４Ａ】実施の形態１に係る照明システムの動作を示す図である。
【図４Ｂ】実施の形態１に係る照明システムの次の動作を示す図である。
【図５Ａ】実施の形態１に係る照明システムの動作を示すフローチャートである。
【図５Ｂ】実施の形態１に係る照明システムにて照射モードを変更する際のフローを示す図である。
【図６】実施の形態１に係る照明システムのさらに次の動作を示す図である。
【図７Ａ】実施の形態１の変形例１に係る照明システムを示す図である。
【図７Ｂ】実施の形態１の変形例１に係る照明システムの記憶部に格納されている、ユーザの位置の変化と照射モードとの関係を表すテーブルである。
【図８】実施の形態１の変形例１に係る照明システムの輝度モードを示す図である。
【図９】実施の形態１の変形例１に係る照明システムの対象モードを示す図である。
【図１０】実施の形態１の変形例２に係る照明システムを示す図である。
【図１１Ａ】実施の形態１の変形例３に係る照明システムを示す図である。
【図１１Ｂ】実施の形態１の変形例３に係る照明システムの記憶部に格納されている、ユーザの音声と照射モードとの関係を表すテーブルである。
【図１２】実施の形態１の変形例４に係る照明システムを示す図である。
【図１３】実施の形態１の変形例５に係る照明システムを示す図である。
【図１４】実施の形態１の変形例６に係る照明システムにおいて、照射モードの継続時間と照射領域の移動速度との関係を示す図である。
【図１５】実施の形態１の変形例７に係る照明システムを示す図である。
【図１６】実施の形態２に係る照明システムを示す図である。
【図１７Ａ】実施の形態２に係る照明システムの動作を示す図である。
【図１７Ｂ】図１７Ａに示す照明システムの次の動作を示す図である。
【図１７Ｃ】図１７Ｂに示す照明システムの次の動作を示す図である。
【図１８Ａ】実施の形態２の変形例に係る照明システムの動作を示す図である。
【図１８Ｂ】図１８Ａに示す照明システムの次の動作を示す図である。
【図１８Ｃ】図１８Ｂに示す照明システムの次の動作を示す図である。
【図１９】実施の形態３に係る照明システムを示す図である。
【図２０】実施の形態３に係る照明システムの動作を示す図である。
【図２１】実施の形態３に係る照明システムの動作の他の例を示す図である。
【発明を実施するための形態】
【０００９】
（発明に至る経緯）
まず、本発明に至る経緯について、比較例に係る照明システム１０１を例に挙げて説明する。図１は、比較例に係る照明システム１０１を示す図である。
【００１０】
図１には、照明器具１４０と、照明器具１４０を制御する制御部１１０と、ユーザを検知する検知部１２０とを備える照明システム１０１が示されている。
【００１１】
比較例の照明システム１０１では、部屋内におけるユーザの在否を検知部１２０にて検知し、ユーザが居れば照明器具１４０を点灯させ、ユーザが居なければ照明器具１４０を消灯するなどの制御が行われる。そのためユーザは、照明器具１４０のスイッチを入切する必要はないが、部屋全体に光が照らされるために、例えば、ユーザが書類を読むなどの作業を行う際に、意識を集中させにくいという問題がある。
【００１２】
本実施の形態に係る照明システムでは、検知部にて検知したユーザの行動から、ユーザの次の行動を予測し、予測した行動に応じて照明器具の光の照射を制御する。これにより、ユーザの意識を変化させることができるシステム構成となっている。
【００１３】
以下、本発明の実施の形態について、図面を用いて詳細に説明する。なお、以下で説明する実施の形態は、いずれも本発明の好ましい一具体例を示す。以下の実施の形態で示される形状、構成要素、構成要素の配置位置および接続形態等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密に図示されたものではない。
【００１４】
（実施の形態１）
［１−１．照明システムの構成］
まず、実施の形態１に係る照明システム１について、図２〜図３Ｂを参照しながら説明する。図２は、実施の形態１に係る照明システム１を示す図である。図３Ａは、照明システム１を示すブロック構成図である。なお、図２以降の図において、ハッチングドットは、光が照射されている領域を示している。
【００１５】
照明システム１は、ユーザｕ１の行動を予測して照明器具４０の光特性を制御するシステムであって、例えば、建物内の部屋などの内部空間にて使用される。照明システム１は、照明器具４０と、制御部１０と、検知部２０とを備えている。照明器具４０および検知部２０のそれぞれは、制御部１０に接続されている。
【００１６】
照明器具４０は、光の照射領域５０、明るさおよび色を変更することが可能な照明本体部分である。照明器具４０は、例えば、ＲＧＢ（赤緑青）の各色の発光素子を有するＬＥＤ（Light  Emitting  Diode）投光器であり、各発光素子から出射された光が合成されることで形成される光を照射する。
【００１７】
照明器具４０の光の明るさは、各発光素子の光出力が制御部１０で制御されることによって変更される。照明器具４０の光の色は、各発光素子の光出力の比が制御部１０で制御されることによって変更される。また、照明器具４０は、レンズ、ミラー、プリズムまたはマスクなどの光学部材を備えている。照明器具４０では、光学部材の配置等が制御部１０で制御されることによって、照射領域５０の位置および形状が変更される。なお、照射領域５０の形状とは、照射領域５０の大きさまたは輪郭を含む意味である。
【００１８】
照明システム１は、この照明器具４０の光を、第１領域Ａ１に照射する第１照射モードＭ１、および、第１領域Ａ１と少なくとも一部が異なる第２領域Ａ２に照射する第２照射モードＭ２を有している。なお、少なくとも一部が異なるとは、同一ではないという意味であり、例えば、第２領域Ａ２の全てが第１領域Ａ１内に包含される場合も、一部が異なることになる。
【００１９】
第１領域Ａ１は、例えば、照明器具４０を用いて最も広い面積に照射することができる最大の照射領域５０である。第２領域Ａ２は、例えば、机の上に配置された書類６１および書類６１の周辺を照射するための照射領域５０である。本実施の形態では、第２領域Ａ２の面積は第１領域Ａ１の面積よりも小さい。
【００２０】
照明システム１では、第１照射モードＭ１および第２照射モードＭ２のうちの少なくとも１つのモードが、検知部２０による検知結果に基づいて選択される。
【００２１】
検知部２０は、ユーザｕ１の行動を検知する検出器である。ユーザｕ１の行動とは、例えば、背のびをする、あくびをする、または、書類を見るなどのユーザｕ１の動き、あるいは、座席を移動するなどのユーザｕ１の位置の変化をいう。なお、ユーザｕ１の行動には、ユーザｕ１が発する音声も含まれる。音声については後述する変形例にて説明する。
【００２２】
検知部２０は、例えば、赤外線センサまたは赤外線カメラである。赤外線センサは、人体が発する赤外線を検知することで、ユーザｕ１の動きを検知するセンサである。赤外線カメラは、赤外光によるテストパターンを投影し、人体にて反射したテストパターンを撮影することで、ユーザｕ１の動きを検知するカメラである。検知部２０は、赤外線センサおよび赤外線カメラに限らず、人を検知できる人感センサであればよい。
【００２３】
制御部１０は、演算を行うＣＰＵ（Central  Processing  Unit）と、ＲＡＭ（Random  Access  Memory）およびＲＯＭ（Read  Only  Memory）などによって構成される記憶部１５とを備えている。記憶部１５には、プログラム等が格納されている。また、記憶部１５には、ユーザｕ１の動き、次の行動の予測、および、予測された行動によって選択される照射モードに関するテーブルが格納されている。制御部１０は、検知部２０による検知結果および記憶部１５に格納された上記テーブルに基づいて、ユーザｕ１の次の行動を予測し、照明器具４０の光特性を制御する。
【００２４】
ここで照明システム１におけるユーザｕ１の動き、次の行動および選択されるモードの関係について説明する。図３Ｂは、記憶部１５に格納されている、ユーザｕ１の動きと照射モードとの関係を表すテーブルである。
【００２５】
例えば、検知部２０にて「背のびをする」または「あくびをする」などの動きが検知された場合、図３Ｂに示すように、次の行動として「休憩する」という行動が予測される。そこで制御部１０は、２つの照射モードのうち第１照射モードＭ１を選択し、ユーザｕ１に解放感を与えるように照射領域５０を広くする。すなわち制御部１０は、第１照射モードＭ１にて照明器具４０に光を照射させることで、ユーザｕ１がリラックスできる環境をつくる。
【００２６】
また例えば、検知部２０にて「書類に触れる」などの動きが検知された場合、図３Ｂに示すように、次の行動として書類６１を使って「作業する」という行動が予測される。そこで制御部１０は、２つの照射モードのうち第２照射モードＭ２を選択し、周囲の状況がユーザｕ１の視界に入りにくいように照射領域５０を狭くする。すなわち制御部１０は、第２照射モードＭ２にて照明器具４０に光を照射させることで、ユーザｕ１が作業に集中できる環境をつくる。
【００２７】
このように制御部１０は、検知部２０にて検知したユーザｕ１の行動から、ユーザｕ１の次の行動を予測する。そして、予測した次の行動に応じて、第１照射モードＭ１および第２照射モードＭ２の少なくとも一方のモードを選択し、選択したモードに基づいて照明器具４０に光を照射させる。これにより、ユーザｕ１の意識を緩和させたり集中させたりすることができ、ユーザｕ１の意識を変化させることができる。
【００２８】
なお上記では、照射領域５０の大きさを変化させることで、ユーザｕ１の意識を変化させる例を示したが、ユーザｕ１の意識を変化させるための構成は、これに限られない。
【００２９】
例えば、第１照射モードＭ１における調光率を５０％とし第２照射モードＭ２における調光率を８０％とすることで、すなわち、第２照射モードＭ２の照射領域５０を第１照射モードＭ１の照射領域５０よりも明るくすることで、ユーザｕ１の意識を変えることができる。
【００３０】
また例えば、第１照射モードＭ１における色温度を３０００Ｋとし第２照射モードＭ２における色温度を５０００Ｋとすることで、すなわち、第２照射モードＭ２の照射領域５０を第１照射モードＭ１の照射領域５０よりも高い色温度とすることで、ユーザｕ１の意識を変えることができる。
【００３１】
［１−２．照明システムの動作］
次に、照明システム１の動作について図４Ａ〜図６を参照しながら説明する。図４Ａは、照明システム１の動作を示す図である。図４Ｂは、照明システム１の次の動作を示す図である。図５Ａは、照明システム１の動作を示すフローチャートである。
【００３２】
図４Ａには、ユーザｕ１が椅子に座っている状態が示されている。検知部２０は、ユーザｕ１が机の前に居ること検知するが、書類に触れるなどの動きを検知していないので、制御部１０は、ユーザｕ１がリラックスできるように、第１照射モードＭ１にて光を照射する（Ｓ１１）。
【００３３】
図４Ｂには、ユーザｕ１が机の上の書類６１に触れた状態が示されている。ここで検知部２０は、ユーザｕ１が「書類６１に触れる」という動きを検知する（Ｓ１２）。
【００３４】
制御部１０は、検知部２０にて検知したユーザｕ１の動きに基づいて、ユーザｕ１の次の行動を予測する（Ｓ１３）。例えば制御部１０は、ユーザｕ１が書類６１に触れたという情報を検知部２０から取得すると、記憶部１５に格納されているテーブル（図３Ｂ参照）に基づいて、書類６１を使って「作業する」という次の行動を予測する。
【００３５】
次に制御部１０は、予測した行動に応じて、第１照射モードＭ１および第２照射モードＭ２のうちの一方のモードを選択する（Ｓ１４）。例えばステップＳ１３では「作業する」という行動を予測したので、制御部１０は、ユーザｕ１が意識を集中しやすい第２照射モードＭ２を選択する。
【００３６】
制御部１０は、選択した第２照射モードＭ２に基づいて、照明器具４０に光を照射させる（Ｓ２０）。その際、制御部１０は、第１照射モードＭ１から第２照射モードＭ２に状態を変化させる。
【００３７】
図５Ｂは、照明システム１にて照射モードを変更する際のフローを示す図である。照明システム１は、第１照射モードＭ１と第２照射モードＭ２との間に、照射領域５０を第１領域Ａ１から第２領域Ａ２に変化させる変化モードＭ１２を有している。
【００３８】
図５Ｂに示すように、第１領域Ａ１に光が照射された状態（Ｓ２１）から照射モードを変更する際、制御部１０は、変化モードＭ１２にて照射領域５０を第１領域Ａ１から第２領域Ａ２に向けて変化させ（Ｓ２２）、第２照射モードＭ２にて第２領域Ａ２に光を照射する（Ｓ２３）。
【００３９】
本実施の形態では、図４Ｂに示すように、制御部１０は、第１領域Ａ１から第２領域Ａ２に向かって、時間とともに照射領域５０が小さくなるように変化させる。このように変化モードＭ１２にて、照射領域５０を徐々に小さくすることで、照射領域５０が変化する様子をユーザｕ１に違和感なく示すことができ、また、ユーザｕ１の意識を視覚的に変えることができる。
【００４０】
なお、制御部１０は、変化モードＭ１２において、照射領域５０の大きさだけでなく、照射領域５０の輝度、色、形状および移動速度のうちの少なくとも１つが徐々に変化するように、照明器具４０に光を照射させてもよい。
【００４１】
次に、照明システム１の次の動作として、第２照射モードＭ２から第１照射モードＭ１に戻す場合について説明する。図６は、照明システム１のさらに次の動作を示す図である。
【００４２】
まず、第２照射モードＭ２にて光が照射されている状態において、検知部２０は、ユーザｕ１が「背のびする」という動きを検知する。制御部１０は、検知部２０にて検知したユーザｕ１の動きに基づいて、ユーザｕ１の次の行動を予測する。例えば制御部１０は、ユーザｕ１が背のびをしたという情報を検知部２０から取得すると、記憶部１５に格納されているテーブル（図３Ｂ参照）に基づいて、作業を中断して「休憩する」という次の行動を予測する。
【００４３】
次に制御部１０は、予測した行動に応じて、所定の照射モードを選択する。例えば上記では「休憩する」という行動を予測したので、制御部１０は、ユーザｕ１がリラックスしやすい第１照射モードＭ１を選択する。
【００４４】
制御部１０は、選択した第１照射モードＭ１に基づいて、照明器具４０に光を照射させる。その際、制御部１０は、第２照射モードＭ２から第１照射モードＭ１に状態を変化させる。
【００４５】
この例では図６に示すように、制御部１０は、第２領域Ａ２から第１領域Ａ１に向かって、時間とともに照射領域５０が大きくなるように変化させる。このように照射領域５０を徐々に大きくすることで、照射領域５０が変化する様子をユーザｕ１に違和感なく示すことができ、また、ユーザｕ１の意識を視覚的に変えることができる。
【００４６】
なお、制御部１０は、第２照射モードＭ２から第１照射モードＭ１に戻す場合に、照射領域５０の輝度、色、形状および移動速度のうちの少なくとも１つが徐々に変化するように、照明器具４０に光を照射させてもよい。
【００４７】
また、第２照射モードＭ２から第１照射モードＭ１に戻す場合に、制御部１０は、変化する様子をユーザｕ１に気づかれにくくするため、第２領域Ａ２から第１領域Ａ１に移動するまでの照射領域５０の移動速度を１ｍ／ｓ以下としてもよい。照射領域５０の移動速度は、一般的な人が歩く速度１．３ｍ／ｓよりも小さな値であればよい。
【００４８】
［１−３．効果等］
本実施の形態に係る照明システム１は、照明器具４０と、照明器具４０を制御する制御部１０と、照明器具４０を使用するユーザｕ１の行動を検知する検知部２０とを備える。照明システム１は、照明器具４０の光を第１領域Ａ１に照射する第１照射モードＭ１、および、第１領域Ａ１と少なくとも一部が異なる第２領域Ａ２に照射する第２照射モードＭ２を有している。制御部１０は、検知部２０にて検知した行動からユーザｕ１の次の行動を予測し、予測した次の行動に応じて、第１照射モードＭ１および第２照射モードＭ２の少なくとも一方のモードを選択し、選択したモードに基づいて照明器具４０に光を照射させる。
【００４９】
この照明システム１によれば、例えばユーザｕ１の意識を緩和させたり集中させたりすることができ、ユーザｕ１の意識を変化させることができる。
【００５０】
また、検知部２０は、ユーザｕ１の動きを検知し、制御部１０は、検知部２０にて検知した動きに基づいて、ユーザｕ１の次の行動を予測してもよい。
【００５１】
これによれば、ユーザｕ１の動きに対応して、ユーザｕ１の意識を変化させることができる。
【００５２】
また、照明システム１は、さらに、第１照射モードＭ１と第２照射モードＭ２との間にて、照明器具４０の光の照射領域５０を第１領域Ａ１から第２領域Ａ２に変化させる変化モードＭ１２を有し、制御部１０は、変化モードＭ１２において、照射領域５０の輝度、色、形状および移動速度のうちの少なくとも１つが変化するように、照明器具４０に光を照射させてもよい。
【００５３】
これによれば、第１照射モードＭ１から第２照射モードＭ２に変化する状態をユーザｕ１に気づかせることができ、ユーザｕ１の意識を視覚的に変化させることができる。
【００５４】
また、制御部１０は、照射領域５０の輝度、色、形状および移動速度のうちの少なくとも１つを徐々に変化させてもよい。
【００５５】
このように、照射領域５０の輝度、色、形状または移動速度を徐々に変化させることで、変化に対する違和感を抑えながらユーザｕ１の意識を変化させることができる。
【００５６】
また、第２領域Ａ２は、第１領域Ａ１よりも面積が小さくてもよい。
【００５７】
このように、第２領域Ａ２を第１領域Ａ１の面積よりも小さくすることで、ユーザｕ１の意識を明確に変化させることができる。
【００５８】
また、制御部１０は、第２照射モードＭ２から第１照射モードＭ１に戻す場合に、第２領域Ａ２から第１領域Ａ１に移動するまでの照射領域５０の移動速度を１ｍ／ｓ以下としてもよい。
【００５９】
このように、照射領域５０の移動速度を１ｍ／ｓ以下とすることで、第２照射モードＭ２から第１照射モードＭ１に戻る変化に対する違和感を抑えることができる。
【００６０】
［１−４．実施の形態１の変形例１］
次に、実施の形態１の変形例１に係る照明システム１について、図７Ａ〜図９を参照しながら説明する。変形例１では、ユーザｕ１の位置の変化に伴って、照射モードを変化させる場合について説明する。
【００６１】
図７Ａは、変形例１に係る照明システム１を示す図である。変形例１に係る照明システム１も、照明器具４０と、制御部１０と、検知部２０とを備えている。
【００６２】
図７Ａには、ユーザｕ１が、机の手前の第１領域Ａ１にて一旦読書し、次に席を移動して机の奥側の第２領域Ａ２にて仕事する様子が示されている。この照明システム１において、例えば、第１領域Ａ１は読書ゾーンであり、第２領域Ａ２は仕事ゾーンである。第２領域Ａ２の面積は、第１領域Ａ１の面積とほぼ同じである。
【００６３】
図７Ｂは、記憶部１５に格納されている、ユーザｕ１の位置の変化と照射モードとの関係を示すテーブルである。制御部１０は、検知部２０による検知結果および記憶部１５に格納された上記テーブルに基づいて、ユーザｕ１の次の行動を予測し、照明器具４０の光特性を制御する。
【００６４】
例えば、検知部２０にて「第１領域Ａ１から第２領域Ａ２に移動する」というユーザｕ１の位置の変化が検知された場合、図７Ｂに示すように、次の行動として「仕事する」という行動が予測される。そこで制御部１０は、２つの照射モードのうち第２照射モードＭ２を選択し、第２領域Ａ２に照射領域５０を移動させる。
【００６５】
また、検知部２０にて「第２領域Ａ２から第１領域Ａ１に移動する」というユーザｕ１の位置の変化が検知された場合、図７Ｂに示すように、次の行動として「読書する」という行動が予測される。そこで制御部１０は、２つの照射モードのうち第１照射モードＭ１を選択し、第１領域Ａ１に照射領域５０を移動させる。
【００６６】
ここで、図７Ａを参照して、変形例１の照明システム１の動作についてさらに説明する。
【００６７】
まず、第１領域Ａ１に光が照射されている状態から、ユーザｕ１が席を立って第２領域Ａ２に移動しようとすると、その移動の途中で検知部２０は、ユーザｕ１が「第１領域Ａ１から第２領域Ａ２に位置を変える」という動きを検知する。
【００６８】
制御部１０は、検知部２０にて検知したユーザｕ１の動きに基づいて、ユーザｕ１の次の行動を予測する。例えば制御部１０は、ユーザｕ１が第１領域Ａ１から第２領域Ａ２に向かって移動するという情報を検知部２０から取得すると、記憶部１５に格納されているテーブル（図７Ｂ参照）に基づいて、第２領域Ａ２にて「作業する」という次の行動を予測する。
【００６９】
次に制御部１０は、予測した行動に応じて所定の照射モードを選択する。例えば上記では第２領域Ａ２にて「作業する」という行動を予測したので、制御部１０は、第２領域Ａ２に照射領域５０を形成する第２照射モードＭ２を選択する。
【００７０】
そして制御部１０は、選択した第２照射モードＭ２に基づいて、照明器具４０に光を照射させる。その際、制御部１０は、第１照射モードＭ１から第２照射モードＭ２に状態を変化させる。
【００７１】
この例では図７Ａに示すように、制御部１０は、第１領域Ａ１から第２領域Ａ２に向かって、時間とともに照射領域５０を移動させる。このように照射領域５０を徐々に移動させることで、照射領域５０が移動する様子をユーザｕ１に違和感なく示すことができ、また、ユーザｕ１の意識を視覚的に変えることができる。
【００７２】
なお、制御部１０は、第１照射モードＭ１から第２照射モードＭ２に変化させる場合に、照射領域５０の位置だけでなく、照射領域５０の輝度、色、形状および移動速度のうちの少なくとも１つが徐々に変化するように、照明器具４０に光を照射させてもよい。
【００７３】
また、第１照射モードＭ１と第２照射モードＭ２との変化は、逆方向であってもよい。例えば、制御部１０は「第２領域Ａ２から第１領域Ａ１に位置を変える」というユーザｕ１の動きを検知部２０から取得し、照射モードを第２照射モードＭ２から第１照射モードＭ１に変更させてもよい。
【００７４】
変形例１の照明システム１においても、制御部１０は、検知部２０にて検知した行動からユーザｕ１の次の行動を予測し、予測した次の行動に応じて、第１照射モードＭ１および第２照射モードＭ２の少なくとも一方のモードを選択し、選択したモードに基づいて照明器具４０に光を照射させる。これにより、ユーザｕ１の意識を変化させることができる。
【００７５】
また、検知部２０は、ユーザｕ１の位置の変化を検知し、制御部１０は、検知部２０にて検知した位置の変化に基づいて、ユーザｕ１の次の行動を予測してもよい。
【００７６】
これによれば、ユーザｕ１の位置の変化に対応して、ユーザｕ１の意識を変化させることができる。
【００７７】
なお、変形例１に係る照明システム１では、上記で示した変化の他に、輝度モードによる変化を併用することも可能である。変形例１の照明システム１は、第１輝度モードＢ１および第２輝度モードＢ２を有している。
【００７８】
図８は、変形例１に係る照明システム１の各輝度モードを示す図である。なお、図８では、輝度が低いほどハッチングドットが粗で表され、輝度が高いほどハッチングドットが密で表されている。
【００７９】
第１輝度モードＢ１は、図８の（ａ）に示すように、照射領域５０の内側から外側に向かう方向に輝度が徐々に低くなるように照射領域５０に光を照射するモードである。第１輝度モードＢ１における照射領域５０は、照射領域５０の中央での輝度が高いが外縁に近づくにしたがって輝度が徐々に低くなる、ぼんやりとした輪郭を有している。
【００８０】
第２輝度モードＢ２は、図８の（ｂ）に示すように、照射領域５０の内側から外側に向かう方向に第１輝度モードＢ１よりも輝度が急激に低くなるように照射領域５０に光を照射するモードである。第２輝度モードＢ２における照射領域５０は、照射領域５０の中央から外縁に至るまでの輝度が高いが外縁の外側にて輝度が急に低くなる、くっきりとした輪郭を有している。
【００８１】
第１輝度モードＢ１および第２輝度モードＢ２は、例えば、照明器具４０の各発光素子から出射される光の一部にマスクをかけたり、拡散フィルタを通したりすることで実現される。
【００８２】
制御部１０は、例えば第１照射モードＭ１から第２照射モードＭ２に変化する過程において、照射領域５０が第１輝度モードＢ１から第２輝度モードＢ２に徐々に変化するように照射する光を変化させる。これにより、ユーザｕ１の意識を集中させる方向に導くことができる。
【００８３】
また制御部１０は、例えば第２照射モードＭ２から第１照射モードＭ１に変化する過程において、照射領域５０が第２輝度モードＢ２から第１輝度モードＢ１に徐々に変化するように照射する光を変化させる。これにより、ユーザｕ１の意識を緩和する方向に導くことができる。
【００８４】
このように変形例１の照明システム１は、さらに、照射領域５０の内側から外側に向かう方向に、輝度が低くなるように照射領域５０に光を照射する第１輝度モードＢ１、および、第１輝度モードＢ１よりも輝度が急激に低くなるように照射領域５０に光を照射する第２輝度モードＢ２を有している。制御部１０は、第１輝度モードＢ１から第２輝度モードＢ２に徐々に変化するように、または、第２輝度モードＢ２から第１輝度モードＢ１に徐々に変化するように、照射領域５０に照射する光を変化させてもよい。
【００８５】
このように、第１輝度モードＢ１および第２輝度モードＢ２とで照射領域５０の輝度を異ならせることで、ユーザｕ１の意識を変えることができる。
【００８６】
また、変形例１に係る照明システム１では、上記で示した変化の他に、対象モードによる変化を併用することも可能である。変形例１の照明システム１は、第１対象モードＣ１および第２対象モードＣ２を有している。
【００８７】
図９は、変形例１に係る照明システム１の対象モードを示す図である。図９には、光を照射する照射対象物として、書類６１が示されている。
【００８８】
第１対象モードＣ１は、図９の（ａ）に示すように、光を照射する対象である照射対象物と照射対象物の周辺とに光を照射するモードである。第２対象モードＣ２は、照射対象物のみに光を照射するモードである。第１対象モードＣ１および第２対象モードＣ２は、例えば、照明器具４０の各発光素子から出射される光にマスクをかけたり、レンズを用いて集光したりすることで実現される。
【００８９】
制御部１０は、例えば第１照射モードＭ１から第２照射モードＭ２に変化する過程において、第１対象モードＣ１から第２対象モードＣ２に徐々に変化するように、光を照射する対象を変化させる。これにより、ユーザｕ１の意識を集中する方向に導くことができる。
【００９０】
また制御部１０は、例えば第２照射モードＭ２から第１照射モードＭ１に変化する過程において、第２対象モードＣ２から第１対象モードＣ１に徐々に変化するように、光を照射する対象を変化させる。これにより、ユーザｕ１の意識を緩和する方向に導くことができる。
【００９１】
このように変形例１の照明システム１は、さらに、光を照射する対象である照射対象物と照射対象物の周辺とに光を照射する第１対象モードＣ１、および、照射対象物のみに光を照射する第２対象モードＣ２を有している。制御部１０は、第１対象モードＣ１から第２対象モードＣ２に徐々に変化するように、または、第２対象モードＣ２から第１対象モードＣ１に徐々に変化するように、光を照射する対象を変化させてもよい。
【００９２】
このように、第１対象モードＣ１および第２対象モードＣ２とで照射対象物を異ならせることで、ユーザｕ１の意識を変えることができる。
【００９３】
［１−５．実施の形態１の変形例２］
次に、実施の形態１の変形例２に係る照明システム１について、図１０を参照しながら説明する。変形例２に係る照明システム１では、変化モードＭ１２において、照射領域５０の形状を変化させている。
【００９４】
図１０は、変形例２に係る照明システム１を示す図である。
【００９５】
変形例２に係る照明システム１では、制御部１０は、変化モードＭ１２において、照射領域５０の形状が変化するように、照明器具４０に光を照射させている。具体的には、第１領域Ａ１において楕円形だった照射領域５０を徐々に変化させ、第２領域Ａ２において矩形状にしている。なお、制御部１０は、第１照射モードＭ１から第２照射モードＭ２に変化させる場合に、照射領域５０の形状だけでなく、照射領域５０の輝度、色および移動速度のうちの少なくとも１つが徐々に変化するように、照明器具４０に光を照射させてもよい。
【００９６】
変形例２によれば、第１照射モードＭ１から第２照射モードＭ２に変化する状態をユーザｕ１に気づかせることができ、ユーザｕ１の意識を視覚的に変化させることができる。
【００９７】
［１−６．実施の形態１の変形例３］
次に、実施の形態１の変形例３に係る照明システム１について、図１１Ａおよび図１１Ｂを参照しながら説明する。変形例３では、ユーザｕ１が発する音声を検知して、照射モードを変化させる例について説明する。
【００９８】
図１１Ａは、変形例３に係る照明システム１を示す図である。変形例３に係る照明システム１も、照明器具４０と、制御部１０と、検知部２０とを備えている。変形例３の検知部２０は、例えば、音を検知するマイクロフォンである。
【００９９】
図１１Ａには、ユーザｕ１が、机の手前の第１領域Ａ１にて作業し、次に視点を変えて、壁のスクリーンに画像６３を映す様子が示されている。この照明システム１において、例えば、第１領域Ａ１は手元の作業ゾーンであり、第２領域Ａ２は壁のスクリーンである。なお、変形例３の照明システム１は、スクリーンに画像６３を映し出す場合に限られず、照明器具４０を用いて掲示物を照らすだけでも良い。その場合、より安価な照明システム１を構成することができる。
【０１００】
図１１Ｂは、記憶部１５に格納されている、ユーザｕ１の音声と照射モードとの関係を示すテーブルである。制御部１０は、検知部２０による検知結果および記憶部１５に格納された上記テーブルに基づいて、ユーザｕ１の次の行動を予測し、照明器具４０の光特性を制御する。
【０１０１】
例えば、ユーザｕ１が発する「個人」という音声が検知された場合、図１１Ｂに示すように、次の行動として「各自、手元で作業する」という行動が予測される。そこで制御部１０は、複数の照射モードのうち第１照射モードＭ１を選択し、照射領域５０を第１領域Ａ１に移動させる。また、ユーザｕ１が発する「発表」という音声が検知された場合、図１１Ｂに示すように、次の行動として「スクリーンを見る」という行動が予測される。そこで制御部１０は、複数の照射モードのうち第２照射モードＭ２を選択し、照射領域５０を第２領域Ａ２に移動させる。
【０１０２】
ここで、図１１Ａを参照して、変形例３の照明システム１の動作についてさらに説明する。
【０１０３】
まず、第１照射モードＭ１にて光が照射されている状態において、検知部２０は、ユーザｕ１の「発表」という音声を検知する。制御部１０は、検知部２０にて検知したユーザｕ１の音声に基づいて、ユーザｕ１の次の行動を予測する。例えば制御部１０は、「発表」という音声情報を検知部２０から取得すると、記憶部１５に格納されているテーブル（図１１Ｂ参照）に基づいて、「スクリーンを見る」という次の行動を予測する。
【０１０４】
次に制御部１０は、予測した行動に応じて所定の照射モードを選択する。例えば上記では、第２領域Ａ２にて「スクリーンを見る」という行動を予測したので、制御部１０は、壁のスクリーンに照射領域５０を形成する第２照射モードＭ２を選択する。
【０１０５】
制御部１０は、選択した第２照射モードＭ２に基づいて、照明器具４０に光を照射させる。その際、制御部１０は、第１照射モードＭ１から第２照射モードＭ２に状態を変化させる。
【０１０６】
この例では図１１Ａに示すように、制御部１０は、第１領域Ａ１から第２領域Ａ２に向かって、時間とともに照射領域５０を移動させる。このように照射領域５０を徐々に移動させることで、照射領域５０が変化する様子をユーザｕ１に違和感なく示すことができ、ユーザｕ１の意識を視覚的に変えることができる。
【０１０７】
なお、制御部１０は、第１照射モードＭ１から第２照射モードＭ２に変化させる場合に、照射領域５０の輝度、色、形状および移動速度のうちの少なくとも１つが徐々に変化するように、照明器具４０に光を照射させてもよい。例えば、第１照射モードＭ１から動き始める際の移動速度を遅くし、第２照射モードＭ２に近づくにしたがって、移動速度を速くしてもよい。
【０１０８】
また、第１照射モードＭ１と第２照射モードＭ２との変化は、逆方向であってもよい。例えば、制御部１０は「個人」というユーザｕ１の音声を検知部２０から取得し、照射モードを第２照射モードＭ２から第１照射モードＭ１に変更させてもよい。
【０１０９】
変形例３の照明システム１においても、制御部１０は、検知部２０にて検知した行動からユーザｕ１の次の行動を予測し、予測した次の行動に応じて、第１照射モードＭ１および第２照射モードＭ２の少なくとも一方のモードを選択し、選択したモードに基づいて照明器具４０に光を照射させる。これにより、ユーザｕ１の意識を変化させることができる。
【０１１０】
また、検知部２０は、ユーザｕ１の音声を検知し、制御部１０は、検知部２０にて検知した音声に基づいて、ユーザｕ１の次の行動を予測してもよい。
【０１１１】
これによれば、ユーザｕ１の音声に対応して、ユーザｕ１の意識を変化させることができる。
【０１１２】
［１−７．実施の形態１の変形例４］
次に、実施の形態１の変形例４に係る照明システム１について、図１２を参照しながら説明する。変形例４に係る照明システム１では、照明器具４０を使用するユーザが複数存在し、それに対応する複数の第２領域Ａ２が設けられている。
【０１１３】
図１２は、変形例４に係る照明システム１を示す図である。変形例４に係る照明システム１も、照明器具４０と、制御部１０と、検知部２０とを備えている。
【０１１４】
変形例４の照明システム１は、照明器具４０の光を、第１領域Ａ１に照射する第１照射モードＭ１、および、２つの第２領域Ａ２に照射する第２照射モードＭ２を有している。
【０１１５】
第１領域Ａ１は、例えば、照明器具４０を用いて最も広い面積に照射することができる最大の照射領域５０である。２つの第２領域Ａ２のうちの一方は、ユーザｕ１が使う書類６１および書類６１の周辺を照射するための照射領域５０である。２つの第２領域Ａ２のうちの他方は、ユーザｕ２が使う書類６２および書類６２の周辺を照射するための照射領域５０である。この２つの第２領域Ａ２は、例えば、照明器具４０の各発光素子から出射される光にマスクをかけたり、２つのレンズを用いて集光したりすることで実現される。
【０１１６】
変形例４の照明システム１においても、制御部１０は、検知部２０にて検知した行動からユーザｕ１、ｕ２の次の行動を予測し、予測した次の行動に応じて、第１照射モードＭ１および第２照射モードＭ２の少なくとも一方のモードを選択し、選択したモードに基づいて照明器具４０に光を照射させる。これにより、複数のユーザｕ１、ｕ２の意識を変化させることができる。
【０１１７】
なお、第２照射モードＭ２において、ユーザｕ１の照射領域５０の輝度を低くすることでユーザｕ１の意識を緩和させ、ユーザｕ２の照射領域５０の輝度を高くすることでユーザｕ２の意識を集中させるように、照明器具４０を制御してもよい。
【０１１８】
［１−８．実施の形態１の変形例５］
次に、実施の形態１の変形例５に係る照明システム１について、図１３を参照しながら説明する。変形例５に係る照明システム１は、第１照射モードＭ１から第２照射モードＭ２に変化する過程で、残像を残しながら照射領域５０を移動させる例である。
【０１１９】
図１３は、変形例５に係る照明システム１を示す図である。変形例５に係る照明システム１も、照明器具４０と、制御部１０と、検知部２０とを備えている。
【０１２０】
図１３には、ユーザｕ１が、机の上の第１領域Ａ１にて読書し、次に席を横に移動して、第２領域Ａ２にて続けて読書する様子が示されている。ユーザｕ１が移動する際、制御部１０は、照射領域５０の残像を残しながら、照射領域５０を移動させる。この残像は、例えば図８の（ａ）に示すように、照射領域５０の内側から外側に向かう方向に輝度が徐々に低くなるように照射領域５０の像を形成し、形成した照射領域５０の像を移動させることで実現することができる。この残像により、ユーザｕ１は照射領域５０が移動していることを視覚的に意識することができる。
【０１２１】
変形例５の照明システム１においても、制御部１０は、検知部２０にて検知した行動からユーザｕ１の次の行動を予測し、予測した次の行動に応じて、第１照射モードＭ１および第２照射モードＭ２の少なくとも一方のモードを選択し、選択したモードに基づいて照明器具４０に光を照射させる。これにより、複数のユーザｕ１の意識を変化させることができる。
【０１２２】
［１−９．実施の形態１の変形例６］
次に、実施の形態１の変形例６に係る照明システム１について、図１４を参照しながら説明する。変形例６に係る照明システム１は、照射モードの継続時間が長いほど、変化モードＭ１２における照射領域５０の移動速度を速くする例である。
【０１２３】
図１４は、変形例６に係る照明システム１において、照射モードの継続時間と照射領域５０の移動速度の関係を示す図である。継続時間とは、１つの照射モードが開始されてから終了するまでの時間の長さである。
【０１２４】
図１４に示すように、照射モードの継続時間と照射領域５０の移動速度とは、式ＸＩＶで示すような正比例の関係にある。この式ＸＩＶは、照射モードの継続時間が長いほど、変化モードＭ１２における照射領域５０の移動速度を速くできることを示している。例えば、第１照射モードＭ１の継続時間が１５分である場合は、継続時間が５分である場合に比べて照射領域５０の移動速度を速くすることができる。これは、照射モードの継続時間が長いほど、その照射モードにおけるユーザｕ１の集中力が高まるため、変化モードＭ１２において照射領域５０の移動速度を速くしてもユーザｕ１に与える違和感が少なくなるからであると考えられる。
【０１２５】
このように変形例６の照明システム１では、制御部１０は、第１照射モードＭ１の継続時間が長いほど、変化モードＭ１２における照射領域５０の移動速度を速くする。
【０１２６】
照射モードの継続時間が長い場合は、照射領域５０の移動速度を速くしてもユーザｕ１に与える違和感が少ないので、違和感を抑制しながらユーザｕ１の意識を変化させることができる。
【０１２７】
［１−１０．実施の形態１の変形例７］
次に、実施の形態１の変形例７に係る照明システム１について、図１５を参照しながら説明する。変形例７に係る照明システム１は、第１照射モードＭ１および第２照射モードＭ２の両方を併存させる例である。
【０１２８】
図１５は、変形例７に係る照明システム１を示す図である。変形例７に係る照明システム１も、照明器具４０と、制御部１０と、検知部２０とを備えている。
【０１２９】
変形例７の照明器具４０は、例えば、液晶フィルタを介して光を出射する投光器である。なお、照明器具４０は、スキャニング投光のように時分割して光を出射する投光器であってもよい。この照明器具４０によれば、内部空間において第１照射モードＭ１および第２照射モードＭ２の両方のモードを実現することができる。
【０１３０】
変形例７の照明システム１では、制御部１０は、検知部２０にて検知した行動からユーザｕ１の次の行動を予測し、予測した次の行動に応じて、第１照射モードＭ１および第２照射モードＭ２の両方のモードを選択し、選択した両方のモードに基づいて照明器具４０に光を照射させる。これにより、周囲の明るさを維持した状態で、複数のユーザｕ１の意識を変化させることができる。
【０１３１】
（実施の形態２）
［２−１．照明システムの構成および動作］
次に、実施の形態２に係る照明システム１Ａについて、図１６〜図１７Ｃを参照しながら説明する。実施の形態２では、照明器具４０を使用するユーザが複数存在し、それに対応する複数の第１領域Ａ１が設けられている。
【０１３２】
図１６は、実施の形態２に係る照明システム１Ａを示す図である。図１７Ａ〜図１７Ｃは、照明システム１Ａの動作を順に示す図である。
【０１３３】
照明システム１Ａは、２つの照明器具４０と、制御部１０と、検知部２０とを備えている。２つの照明器具４０および検知部２０のそれぞれは、制御部１０に接続されている。実施の形態２の検知部２０は、例えば、音を検知するマイクロフォンである。
【０１３４】
照明システム１Ａは、２つの照明器具４０のうちの一方を用いて一方の第１領域Ａ１に光を照射し、また、２つの照明器具４０のうちの他方を用いて他方の第１領域Ａ１に光を照射する第１照射モードＭ１を有している。照明システム１Ａは、２つの照明器具４０の光を第２領域Ａ２に集約する第２照射モードＭ２を有している（図１７Ｃ参照）。
【０１３５】
一方の第１領域Ａ１は、例えば、ユーザｕ１の書類６２を照射する照射領域５０であり、他方の第１領域Ａ１は、ユーザｕ２の書類６２を照射する照射領域５０である。第２領域Ａ２は、例えば、机の中央領域を照射するための照射領域５０である。本実施の形態では、第２領域Ａ２の面積は第１領域Ａ１の面積よりも大きい。
【０１３６】
ここで、図１７Ａ〜図１７Ｃを参照して、照明システム１Ａの動作について説明する。
【０１３７】
図１７Ａは、第１照射モードＭ１の場面を示す図であり、２つの照明器具４０によって２つの第１領域Ａ１にそれぞれ光が照射されている。この図には、ユーザｕ１、ｕ２のそれぞれが、各第１領域Ａ１にて作業している様子が示されている。
【０１３８】
図１７Ｂは、変化モードＭ１２の場面を示す図である。ここで検知部２０は、ユーザｕ１またはｕ２の「共有」という音声を検知する。制御部１０は、検知部２０にて検知したユーザの音声に基づいて、ユーザｕ１、ｕ２の次の行動を予測する。例えば制御部１０は、「共有」という音声情報を検知部２０から取得すると、記憶部１５に格納されているテーブル（図１１Ｂ参照）に基づいて、「机の中央で作業する」という次の行動を予測する。
【０１３９】
次に制御部１０は、予測した行動に応じてた照射モードを選択する。例えば上記では、「机の中央で作業する」という行動を予測したので、制御部１０は、机の中央に照射領域５０を形成する第２照射モードＭ２を選択する。
【０１４０】
制御部１０は、選択した第２照射モードＭ２に基づいて、照明器具４０に光を照射させる。その際、制御部１０は、第１照射モードＭ１から第２照射モードＭ２に状態を変化させる。この例では図１７Ｂに示すように、制御部１０は、第１領域Ａ１から第２領域Ａ２に向かって、２つの照射領域５０を移動させる。具体的には、制御部１０は、第１照射モードＭ１の複数の照射領域５０の平面上の位置座標が、
（Ｘ１，Ｙ１）、（Ｘ２，Ｙ２）、・・（Ｘｎ，Ｙｎ）（ただしｎは２以上の整数）
で表される場合に、第２照射モードＭ２の１つの照射領域５０が、
（（Ｘ１＋Ｘ２＋・・・＋Ｘｎ）／ｎ，（Ｙ１＋Ｙ２＋・・・＋Ｙｎ）／ｎ）
で表される平面上の位置座標を含むように、変化モードＭ１２において照射領域５０を移動させる。そしてユーザｕ１、ｕ２は、照射領域５０の移動に追随するように各自の書類６２を移動させる。
【０１４１】
図１７Ｃは、第２照射モードＭ２の場面を示す図であり、一方の第１領域Ａ１と他方の第１領域Ａ１の間に、第２領域Ａ２が形成された様子が示されている。第２領域Ａ２内には、ユーザｕ１、ｕ２の各書類６２が配置され、ユーザｕ１、ｕ２が情報を共有できる状態となっている。
【０１４２】
このように２つの照射領域５０を中央に移動させることで、照射領域５０が共有される様子をユーザｕ１、ｕ２に示すことができ、ユーザｕ１、ｕ２の意識を視覚的に変えることができる。
【０１４３】
なお、第１照射モードＭ１と第２照射モードＭ２との変化は、逆方向であってもよい。例えば、制御部１０は「個人」というユーザｕ１またはｕ２の音声を検知部２０から取得し、照射モードを第２照射モードＭ２から第１照射モードＭ１に変更させてもよい。
【０１４４】
実施の形態２に係る照明システム１Ａは、第１照射モードＭ１として複数の照射領域５０を有し、および、第２照射モードＭ２として１つの照射領域５０を有している。制御部１０は、変化モードＭ１２において、第１照射モードＭ１の複数の照射領域５０を第２照射モードＭ２の１つの照射領域５０に移動させる。
【０１４５】
この照明システム１Ａによれば、各ユーザｕ１、ｕ２の意識を共有化させたり、個別化させたりして、各ユーザｕ１、ｕ２の意識を変化させることができる。
【０１４６】
また、制御部１０は、第１照射モードＭ１の複数の照射領域５０の平面上の位置座標が、
（Ｘ１，Ｙ１）、（Ｘ２，Ｙ２）、・・（Ｘｎ，Ｙｎ）（ただしｎは２以上の整数）
で表される場合に、第２照射モードＭ２の１つの照射領域５０が、
（（Ｘ１＋Ｘ２＋・・・＋Ｘｎ）／ｎ，（Ｙ１＋Ｙ２＋・・・＋Ｙｎ）／ｎ）
で表される平面上の位置座標を含むように、変化モードＭ１２において照射領域５０を移動させてもよい。
【０１４７】
これによれば、各ユーザｕ１、ｕ２の意識を共有化させる際に、共有化しやすい環境をつくることができる。
【０１４８】
［２−２．実施の形態２の変形例］
次に、実施の形態２の変形例に係る照明システム１Ａについて、図１８Ａ〜図１８Ｃを参照しながら説明する。実施の形態２の変形例１では、第２領域Ａ２が机上の中央でない位置に形成されている。
【０１４９】
図１８Ａ〜図１８Ｃは、実施の形態２の変形例の照明システム１Ａの動作を順に示す図である。第２領域Ａ２は、机の中央ではなく、ユーザｕ２の手前を照射する照射領域５０となっている。本変形例では、ユーザｕ２の第２領域Ａ２は、ユーザｕ１の第２領域Ａ２よりも大きい。
【０１５０】
ここで、図１８Ａ〜図１８Ｃを参照して、実施の形態２の変形例の照明システム１Ａの動作について説明する。
【０１５１】
図１８Ａは、第１照射モードＭ１の場面を示す図であり、２つの照明器具４０のそれぞれによって一方の第１領域Ａ１および他方の第１領域Ａ１が照射されている。この図には、ユーザｕ１、ｕ２のそれぞれが、各第１領域Ａ１にて作業している様子が示されている。
【０１５２】
図１８Ｂは、変化モードＭ１２の場面を示す図である。ここで検知部２０は、例えば「ユーザｕ１の書類」という音声を検知する。制御部１０は、検知部２０にて検知した音声に基づいて、ユーザｕ１、ｕ２の次の行動を予測する。例えば制御部１０は、「ユーザｕ１の書類」という音声情報を検知部２０から取得すると、「ユーザｕ１の前で作業する」という次の行動を予測する。
【０１５３】
次に制御部１０は、予測した行動に応じてた照射モードを選択する。例えば上記では、「ユーザｕ１の前で作業する」という行動を予測したので、制御部１０は、ユーザｕ２の手前に照射領域５０を形成する第２照射モードＭ２を選択する。
【０１５４】
制御部１０は、選択した第２照射モードＭ２に基づいて、照明器具４０に光を照射させる。その際、制御部１０は、第１照射モードＭ１から第２照射モードＭ２に状態を変化させる。この例では図１７Ｂに示すように、制御部１０は、ユーザｕ１の第１領域Ａ１を縮小し、ユーザｕ２の第１領域Ａ１を拡大して第２領域Ａ２を形成する。
【０１５５】
図１７Ｃは、第２照射モードＭ２の場面を示す図であり、ユーザｕ２の手前に第２領域Ａ２が形成された様子が示されている。第２領域Ａ２内には、ユーザｕ２の書類６２が配置され、ユーザｕ２の書類６２が強調される状態となっている。
【０１５６】
このように２つの照射領域５０を１か所に移動させることで、一方の照射領域５０が強調される様子をユーザｕ１、ｕ２に示すことができ、ユーザｕ１、ｕ２の意識を視覚的に変えることができる。
【０１５７】
なお、第１照射モードＭ１と第２照射モードＭ２との変化は、逆方向であってもよい。例えば、制御部１０は「個人」というユーザｕ１またはｕ２の音声を検知部２０から取得し、照射モードを第２照射モードＭ２から第１照射モードＭ１に変更させてもよい。
【０１５８】
（実施の形態３）
次に、実施の形態３に係る照明システム１Ｂについて、図１９〜図２１を参照しながら説明する。照明器具４０を使用するユーザが複数存在し、それに対応する複数の第１領域Ａ１が設けられている。
【０１５９】
図１９は、実施の形態３に係る照明システム１Ｂを示す図である。図２０は、照明システム１Ｂの動作を示す図である。図２１は、照明システム１Ｂの動作の他の例を示す図である。
【０１６０】
照明システム１Ｂは、照明器具４０と、制御部１０と、検知部２０とを備えている。照明器具４０および検知部２０のそれぞれは、制御部１０に接続されている。実施の形態３の検知部２０は、例えば、音を検知するマイクロフォンである。
【０１６１】
照明システム１Ｂは、照明器具４０の光を３つの第１領域Ａ１に照射する第１照射モードＭ１を有している。また、照明システム１Ｂは、３つの第１領域Ａ１に照射される光を第２領域Ａ２に集約する第２照射モードＭ２を有している（図２０参照）。
【０１６２】
ここで、図１９および図２０を参照して、照明システム１Ｂの動作について説明する。
【０１６３】
図１９は、第１照射モードＭ１の場面を示す図であり、照明器具４０によって３つの第１領域Ａ１が形成されている。この図には、各ユーザｕ１、ｕ２、ｕ３が、各第１領域Ａ１にて作業している様子が示されている。
【０１６４】
図２０は、変化モードＭ１２の場面を示す図である。ここで検知部２０は、ユーザｕ１、ｕ２またはｕ３の「共有」という音声を検知する。制御部１０は、検知部２０にて検知したユーザの音声に基づいて、ユーザｕ１〜ｕ３の次の行動を予測する。例えば制御部１０は、「共有」という音声情報を検知部２０から取得すると、記憶部１５に格納されているテーブルに基づいて、「机の中央で作業する」という次の行動を予測する。
【０１６５】
次に制御部１０は、予測した行動に応じてた照射モードを選択する。例えば上記では、「机の中央で作業する」という行動を予測したので、制御部１０は、机の中央に照射領域５０を形成する第２照射モードＭ２を選択する。
【０１６６】
制御部１０は、選択した第２照射モードＭ２に基づいて、照明器具４０に光を照射させる。その際、制御部１０は、第１照射モードＭ１から第２照射モードＭ２に状態を変化させる。この例では図２０に示すように、制御部１０は、第１領域Ａ１から第２領域Ａ２に向かって、３つの照射領域５０を移動させる。
【０１６７】
このように３つの照射領域５０を１か所に移動させることで、照射領域５０が共有される様子をユーザｕ１〜ｕ３に示すことができ、ユーザｕ１〜ｕ３の意識を視覚的に変えることができる。
【０１６８】
ここで、図１９および図２１を参照して、照明システム１Ｂの動作の他の例について説明する。なお、図２１では、４人目のユーザｕ４が示されている。
【０１６９】
まず、第１照射モードＭ１にて光が照射されている状態において、検知部２０は、ユーザｕ４の「発表」という音声を検知する。制御部１０は、検知部２０にて検知したユーザｕ４の音声に基づいて、ユーザｕ１〜ｕ４の次の行動を予測する。例えば制御部１０は、「発表」という音声情報を検知部２０から取得すると、記憶部１５に格納されているテーブルに基づいて、「スクリーンを見る」という次の行動を予測する。
【０１７０】
次に制御部１０は、予測した行動に応じて、所定の照射モードを選択する。例えば上記では、第２領域Ａ２にて「スクリーンを見る」という行動を予測したので、制御部１０は、壁のスクリーンに照射領域５０を形成する第２照射モードＭ２を選択する。
【０１７１】
制御部１０は、選択した第２照射モードＭ２に基づいて、照明器具４０に光を照射させる。その際、制御部１０は、第１照射モードＭ１から第２照射モードＭ２に状態を変化させる。この例では図２１に示すように、制御部１０は、第１領域Ａ１から第２領域Ａ２に向かって、時間とともに照射領域５０の形状を変化させながら移動させ、スクリーンに画像６３を映し出している。このように照射領域５０を徐々に移動させることで、照射領域５０が変化する様子をユーザｕ１〜ｕ４に違和感なく示すことができ、ユーザｕ１〜ｕ４の意識を視覚的に変えることができる。
【０１７２】
また、この例では、図１９を第１照射モードＭ１を示す場面とし、図２１を第２照射モードＭ２を示す場面としたが、それに限られない。例えば、図２０を第１照射モードＭ１とし、図２１を第２照射モードＭ２としてもよい。すなわち、第１照射モードＭ１にて机の中央に１つの照射領域５０に照射し、第２照射モードＭ２にて照射領域５０を壁のスクリーンに映し出してもよい。
【０１７３】
（その他の実施の形態）
以上、実施の形態に係る照明システム１〜１Ｂについて説明したが、本発明は、上記実施の形態に限定されるものではない。
【０１７４】
例えば、上記実施の形態では、制御部１０は、１つの照明器具４０を制御したが、これに限らない。例えば、制御部１０は、複数の照明器具４０を制御してもよい。
【０１７５】
例えば、上記実施の形態では、制御部１０は、１つの検知部２０の検知結果に応じて、照明器具４０を制御したが、これに限らない。例えば、制御部１０は、複数の検知部２０の検知結果に応じて、複数の照明器具４０を制御してもよい。
【０１７６】
例えば、照明器具４０は、例えば、青色ＬＥＤおよび黄色蛍光体で構成された色温度の異なる光源を複数備えていてもよい。また、照明器具４０は、近紫外ＬＥＤおよびＲＧＢ蛍光体で構成された光源を複数備えていてもよい。
【０１７７】
例えば、実施の形態１では、照明器具４０と、制御部１０と、検知部２０とを備える照明システム１を示したが、それに限られず、照明器具４０と、制御部１０と、検知部２０とを１つの筐体内に入れ、照明システム１を１つの装置として形成してもよい。
【０１７８】
その他、実施の形態に対して当業者が思いつく各種変形を施して得られる形態や、本発明の趣旨を逸脱しない範囲で各実施の形態における構成要素および機能を任意に組み合わせることで実現される形態も本発明に含まれる。
【符号の説明】
【０１７９】
１、１Ａ、１Ｂ  照明システム
１０  制御部
２０  検知部
４０  照明器具
５０  照射領域
Ａ１  第１領域
Ａ２  第２領域
Ｂ１  第１輝度モード
Ｂ２  第２輝度モード
Ｃ１  第１対象モード
Ｃ２  第２対象モード
Ｍ１  第１照射モード
Ｍ１２  変化モード
Ｍ２  第２照射モード
ｕ１、ｕ２、ｕ３、ｕ４  ユーザ
【図１】
2019175686.tif 000003
【図２】
2019175686.tif 000004
【図３Ａ】
2019175686.tif 000005
【図３Ｂ】
2019175686.tif 000006
【図４Ａ】
2019175686.tif 000007
【図４Ｂ】
2019175686.tif 000008
【図５Ａ】
2019175686.tif 000009
【図５Ｂ】
2019175686.tif 000010
【図６】
2019175686.tif 000011
【図７Ａ】
2019175686.tif 000012
【図７Ｂ】
2019175686.tif 000013
【図８】
2019175686.tif 000014
【図９】
2019175686.tif 000015
【図１０】
2019175686.tif 000016
【図１１Ａ】
2019175686.tif 000017
【図１１Ｂ】
2019175686.tif 000018
【図１２】
2019175686.tif 000019
【図１３】
2019175686.tif 000020
【図１４】
2019175686.tif 000021
【図１５】
2019175686.tif 000022
【図１６】
2019175686.tif 000023
【図１７Ａ】
2019175686.tif 000024
【図１７Ｂ】
2019175686.tif 000025
【図１７Ｃ】
2019175686.tif 000026
【図１８Ａ】
2019175686.tif 000027
【図１８Ｂ】
2019175686.tif 000028
【図１８Ｃ】
2019175686.tif 000029
【図１９】
2019175686.tif 000030
【図２０】
2019175686.tif 000031
【図２１】
2019175686.tif 000032